(57)【要約】【課題】工事区域に生息するサンゴを保護し、生存率を向上させることが可能なサンゴの移設方法を提供する。【解決手段】工事区域Ａ５から採取したサンゴ３ｅを工事区域外の海中に配置した水中設置構造体１ｅに固定し、所定工事が終了した後の工事区域Ａ５にサンゴ３ｅを固定した水中設置構造体１ｅを移設する。【選択図】    図３
2006288333.tif 000002
【特許請求の範囲】
【請求項１】
構造物を建設する等の工事区域に生息するサンゴの移設方法であって、前記工事区域から採取したサンゴを水中設置構造体に固定して前記工事区域外の海中に配置する工程と、前記サンゴを採取した工事区域の所定工事が終了した後に、該所定工事後の工事区域またはその近傍に前記サンゴを固定した水中設置構造体を移設する工程とを有するサンゴの移設方法。
【請求項２】
前記工事区域を複数に区画し、前記所定工事が実施される該区画した工事区域毎に前記両工程を実施する請求項１に記載のサンゴの移設方法。
【請求項３】
前記両工程において、サンゴを常に海中で浸水状態にする請求項１または２に記載のサンゴの移設方法。
【請求項４】
前記水中設置構造体が根固めブロック、漁礁ブロックまたは消波ブロックのいずれかである請求項１〜３のいずれかに記載のサンゴの移設方法。
【発明の詳細な説明】
【技術分野】
【０００１】
本発明は、サンゴの移設方法に関し、さらに詳しくは、工事区域に生息するサンゴを保護し、生存率を向上させることが可能なサンゴの移設方法に関するものである。
【背景技術】
【０００２】
構造物を建設する等の工事区域にサンゴが生息している場合は、環境保護等の観点から、このサンゴを工事区域外の海域に移設する必要がある。サンゴの移設方法については、種々提案されているが（例えば、特許文献１、２参照）、従来の方法はいずれも、元々生息していた海域とは異なる場所にサンゴを移設するため、移設されるサンゴにとっては、生息環境が変化し、快適な環境とは言えなかった。
【０００３】
そのため、移設後に環境に馴染むことができないサンゴが死滅するという問題があり、生存率を向上させて保護できる移設方法が必要であった。
【特許文献１】特開２００３−２８９７４４号公報
【特許文献２】特開２００３−９７１３号公報
【発明の開示】
【発明が解決しようとする課題】
【０００４】
本発明の目的は、工事区域に生息するサンゴを保護し、生存率を向上させることが可能なサンゴの移設方法を提供することにある。
【課題を解決するための手段】
【０００５】
上記目的を達成するため本発明のサンゴの移設方法は、構造物を建設する等の工事区域に生息するサンゴの移設方法であって、前記工事区域から採取したサンゴを水中設置構造体に固定して前記工事区域外の海中に配置する工程と、前記サンゴを採取した工事区域の所定工事が終了した後に、該所定工事後の工事区域またはその近傍に前記サンゴを固定した水中設置構造体を移設する工程とを有することを特徴とするものである。
【発明の効果】
【０００６】
本発明のサンゴの移設方法よれば、構造物を建設する等の工事区域に生息するサンゴの移設方法であって、工事区域から採取したサンゴを水中設置構造体に固定して工事区域外の海中に配置する工程によって、工事中においてはサンゴを他の海域に一時、仮置きして養生することができる。
【０００７】
そして、サンゴを採取した工事区域の所定工事が終了した後に、この所定工事後の工事区域またはその近傍にサンゴを固定した水中設置構造体を移設する工程によって、サンゴを元々生息していた海域に戻すことができ、生息する環境を変化させることなく、サンゴを生息させ続けることができる。
以上の工程によって、サンゴの生存率を向上させて保護することが可能になる。
【発明を実施するための最良の形態】
【０００８】
以下、本発明のサンゴの移設方法を図に示した実施形態に基づいて説明する。図１は、構造物を建設または設置等する海域周辺を示しており、サンゴの移設をする工事区域Ａを平面で例示している。工事区域Ａはサンゴ群Ｓに囲まれ、その一部がサンゴ群Ｓの生息場所と重複するため、工事に際してはサンゴを移設する必要がある。
【０００９】
図２に本発明の移設方法の第１工程を平面図で示す。まず、構造物を建設する工事は、工事区域Ａのある区画から始まるので、その工事順序に合せて工事区域Ａを例えば、Ａ１〜Ａ６のように複数に区画する。サンゴ３が生息していない工事区域外の海中には、複数の水中設置構造体１ａ〜１ｆが配置され、最初に工事が開始される工事区域Ａ１に生息しているサンゴ３ａを基部から切取る等によって採取して、水中設置構造体１ａに固定する。
【００１０】
水中設置構造体１ａに固定されたサンゴ３ａは、この場所で一時、仮置きされて養生されることになる。したがって、生息環境の変化を小さくするために、水中設置構造体１ａ〜１ｆは、なるべく、サンゴ３ａ〜３ｆが生息していた海域に近い場所に配置する。工事の進行に合せて、順次、区画された他の工事区域Ａ２〜Ａ６に生息するサンゴ３ｂ〜３ｆについても、同様に水中設置構造体１ｂ〜１ｆに固定することになる。
【００１１】
図３に本発明の移設方法の第２工程を平面図で示す。図３では、構造物２を建設するための所定工事が工事区域Ａ１〜Ａ４まで終了し、以後、工事区域Ａ５〜Ａ６について工事が実施される状態となっている。所定工事が終了した工事区域Ａ１〜Ａ４には、順次、サンゴ３ａ〜３ｄを固定した水中設置構造体１ａ〜１ｄを移設する。一方で、工事区域Ａ５に生息するサンゴ３ｅを工事区域外の海中に配置された水中設置構造体１ｅに移送して固定する。
【００１２】
以上の第１工程および第２工程を工事の進行に合せて、複数に区画した工事区域Ａ１〜Ａ６毎に実施すると、図４に例示するように、構造物２を建設する所定工事が終了した後には、水中設置構造体１ａ〜１ｆに固定されたサンゴ３ａ〜３ｆが工事区域Ａに移設されることになる。所定工事後の工事区域Ａ内に水中設置構造体１ａ〜１ｆを移設できない場合は、なるべく、工事区域Ａの近傍に移設する。
【００１３】
これによって、一時仮置きの期間を最短にして環境変化によるサンゴ３ａ〜３ｆへの負担を軽減することができるとともに、サンゴ３ａ〜３ｆは元々生息していた海中またはその近傍に再度配置されるので、環境の変化が小さく、移設後の生存率を向上させることができる。
【００１４】
サンゴ３ａ〜３ｆを水中設置構造体１ａ〜１ｆまで移送する際に、例えば、図５に示すように、フロート４につながれた吊りロープ５にサンゴ３を取付けて海中移送すると、浮力によって移送が容易となるとともに、常に、サンゴ３が浸水状態となるので、サンゴ３にかかる負担を軽減することができる。この移送方法は、サンゴ３を固定した水中設置構造体１を所定工事後の工事区域Ａに移設する際にも用いることができる。
【００１５】
水中設置構造体１としては、構造物２を建設する際に必要となる一般的な消波ブロックや図６（ａ）に例示するような根固めブロック６にすることが好ましい。図６（ａ）に示す根固めブロック６は、本体６ａの四隅に脚部６ｂと穴部６ｃを有しており、例えば、本体６ａの上面に設けた溝部にサンゴ３を固定する。本体６ａの側面や脚部６ｂ等に設けた溝部にサンゴ３を固定してもよい。根固めブロックの形状は例示したものに限定されない。
【００１６】
また、水中設置構造体１を図６（ｂ）に例示するような漁礁ブロック７にすると、サンゴ３を仮置きしている時だけでなく、構造物２の建設後にも藻類や魚類等が生息しやすい環境を提供することができ、有用なものとなる。図６（ｂ）に示す漁礁ブロック７は、上部プレート７ａと下部プレート７ｂとを脚部７ｄで連結して、両プレート７ａ、７ｂ間に空間部７ｅを形成し、例えば、上部プレート７ａの上面に設けた溝部７ｃにサンゴ３を固定させる。尚、固定するサンゴ３は溝部７ｃに収納できる大きさに採取する。
【００１７】
サンゴ３は、図７に例示するように、基部を水中セメント等の固化材Ｂで固定する。この溝部７ｃの深さは例えば、１０ｃｍ〜２０ｃｍ程度にする。尚、漁礁ブロック７の形状は例示したものに限定されない。
【００１８】
実施形態では、工事区域外の海中に配置した水中設置構造体１ａ〜１ｆにサンゴ３ａ〜３ｆを移送して固定するようにしているが、例えば、サンゴ３ａ〜３ｆを船上まで引き上げて、船上で水中設置構造体１ａ〜１ｆにサンゴ３ａ〜３ｆを固定してから工事区域外の海中に配置することもできる。この場合、船上にあるサンゴ３ａ〜３ｆには、海水を散布等して湿潤状態を維持して負担をかけないようにする。
【００１９】
工事区域Ａが狭い場合は、複数に区画することなく、上記した第１工程および第２工程によって、サンゴ３を移設してもよい。
【００２０】
また、工事区域Ａの一部がサンゴ群Ｓの生息場所と重複する場合に限定されず、工事区域Ａの全体がサンゴ群Ｓの生息場所となる場合においても、本発明を適用することができる。
【図面の簡単な説明】
【００２１】
【図１】サンゴの移設をする工事区域を例示する平面図である。
【図２】本発明のサンゴの移設方法の第１工程を示す平面図である。
【図３】本発明のサンゴの移設方法の第２工程を示す平面図である。
【図４】本発明によってサンゴの移設が完了した工事区域を示す平面図である。
【図５】サンゴを海中で移送する方法を例示する説明図である。
【図６】サンゴを固定する水中設置構造体を例示する斜視図であり、図６（ａ）は根固めブロックを例示し、図６（ｂ）は漁礁ブロックを例示している。
【図７】図６（ｂ）のＡ−Ａ断面図である。
【符号の説明】
【００２２】
１、１ａ〜１ｆ  水中設置構造体
２  建設構造物
３、３ａ〜３ｆ  サンゴ
４  フロート
５  吊りロープ
６  根固めブロック（水中設置構造体）  ６ａ  本体  ６ｂ  脚部  ６ｃ  穴部    
７  漁礁ブロック（水中設置構造体）  ７ａ  上部プレート  ７ｂ  下部プレート  ７ｃ  溝部    ７ｄ  脚部    ７ｅ  空間部
Ａ  工事区域      Ａ１〜Ａ６  区画区域
Ｓ  サンゴ群
【図１】
2006288333.tif 000003
【図２】
2006288333.tif 000004
【図３】
2006288333.tif 000005
【図４】
2006288333.tif 000006
【図５】
2006288333.tif 000007
【図６】
2006288333.tif 000008
【図７】
2006288333.tif 000009